(57)【要約】【課題】油タンク内のフォーミング発生による圧縮機への影響を低減させること。【解決手段】ターボ冷凍機は、冷媒を圧縮する圧縮機と、圧縮機によって圧縮された冷媒を凝縮させる凝縮器と、凝縮器から導かれた液冷媒を膨張させる膨張弁と、膨張弁によって膨張された冷媒を蒸発させる蒸発器と、圧縮機に供給する潤滑油を貯留する油タンクと、油タンクの潤滑油を圧縮機に供給する油ポンプと、油ポンプを制御する制御部とを備えている。制御部は、圧縮機を起動させる前に油ポンプを起動させ（ＳＡ１）、油ポンプの起動から基準期間Ｔａｓ経過時において給油差圧Ｐが圧縮機起動条件を満たしている場合に（ＳＡ３において「ＹＥＳ」）、圧縮機を起動させ（ＳＡ４）、圧縮機起動条件を満たしていない場合に（ＳＡ３において「ＮＯ」）、圧縮機を起動させることなく、油ポンプの運転を所定期間延長させる（ステップＳＡ５）。【選択図】図３
2019074225.tif 000002
【特許請求の範囲】
【請求項１】
冷媒を圧縮する圧縮機と、
前記圧縮機によって圧縮された冷媒を凝縮させる凝縮器と、
前記凝縮器から導かれた液冷媒を膨張させる膨張弁と、
前記膨張弁によって膨張された冷媒を蒸発させる蒸発器と、
前記圧縮機に供給する潤滑油を貯留する油タンクと、
前記油タンクの潤滑油を前記圧縮機に供給する油ポンプと、
前記油ポンプを制御する制御部と、
を備え、
前記制御部は、
前記圧縮機を起動させる前に前記油ポンプを起動させ、
前記油ポンプの起動から基準期間経過時において、前記圧縮機の入口側圧力と前記油タンクの圧力との差圧である給油差圧が圧縮機起動条件を満たしている場合に、前記圧縮機を起動させ、前記圧縮機起動条件を満たしていない場合に、前記圧縮機を起動させることなく、前記油ポンプの運転を所定期間延長させるターボ冷凍機。
【請求項２】
前記油ポンプの延長運転が行われている延長運転期間中において、前記給油差圧が前記圧縮機起動条件を満たした場合には、前記圧縮機を起動させる請求項１に記載のターボ冷凍機。
【請求項３】
前記制御部は、前記延長運転期間を経過しても前記給油差圧が前記圧縮機起動条件を満たさなかった場合には、前記圧縮機を起動させることなく、異常を報知する請求項２に記載のターボ冷凍機。
【請求項４】
前記制御部は、ターボ冷凍機内の圧力及び前記凝縮器の筐体温度の少なくとも一つに基づいて、前記延長運転期間を設定または調整する請求項２または３に記載のターボ冷凍機。
【請求項５】
前記制御部は、ターボ冷凍機内の圧力及び前記凝縮器の筐体温度の少なくとも一つに基づいて、前記基準期間を設定または調整する請求項１から４のいずれかに記載のターボ冷凍機。
【請求項６】
冷媒を圧縮する圧縮機と、
前記圧縮機によって圧縮された冷媒を凝縮させる凝縮器と、
前記凝縮器から導かれた液冷媒を膨張させる膨張弁と、
前記膨張弁によって膨張された冷媒を蒸発させる蒸発器と、
前記圧縮機に供給する潤滑油を貯留する油タンクと、
前記油タンクの潤滑油を前記圧縮機に供給する油ポンプと、
を備えるターボ冷凍機の起動方法であって、
前記圧縮機を起動させる前に前記油ポンプを起動させ、
前記油ポンプの起動から基準期間経過時において、前記圧縮機の入口側圧力と前記油タンクの圧力との差圧である給油差圧が圧縮機起動条件を満たしている場合に、前記圧縮機を起動させ、前記圧縮機起動条件を満たしていない場合に、前記圧縮機を起動させることなく、前記油ポンプの運転を所定期間延長させるターボ冷凍機の起動制御方法。
【発明の詳細な説明】
【技術分野】
【０００１】
本発明は、ターボ圧縮機に供給する潤滑油を貯留する油タンクを備えたターボ冷凍機及びその起動制御方法に関するものである。
【背景技術】
【０００２】
従来、ターボ冷凍機に使用しているＨＦＣ冷媒は、ＧＷＰ（Global  Warming  Potential：地球温暖化係数）が数百〜数千であり、環境への配慮からＧＷＰが１桁のＨＦＯ冷媒への転換が必要である。これに対応するため、ＨＦＯ−１２３３ｚｄ（Ｅ）といった低圧冷媒をチラー用冷媒とすることがある。
ターボ冷凍機は、一般に、ターボ圧縮機に供給する潤滑油が貯留された油タンクを備えている。油タンクは、例えば、ターボ冷凍機の低圧側（蒸発器側）と均圧しているため、冷凍機の運転状態により油タンク内の圧力が変化する。低圧冷媒は、一般的に高圧冷媒よりガス密度が小さい。そのため、低圧冷媒を用いた冷凍機では、油タンク内の潤滑油に溶け込んでいた同質量の冷媒が圧力低下して蒸発した場合、高圧冷媒を用いた冷媒機と比較して、蒸発する冷媒の体積が大きくなり、油タンクの潤滑油に泡立ちが生じるフォーミングが発生しやすくなる。特に、低圧側の圧力低下速度が大きい起動時は、油タンク内の潤滑油にフォーミングが発生しやすい。
【０００３】
特許文献１には、圧縮機を起動させるときに、吸入容量制御部の開度を目標開度よりも小さな開度で起動した後、速やかに目標開度まで開けることで、目標開度未満である運転時間をできるだけ短くして冷媒の通過抵抗を小さくし、吸入容量制御部の下流側の圧力低下を抑制することによってフォーミングの発生を抑えることが開示されている。
【先行技術文献】
【特許文献】
【０００４】
【特許文献１】特開２００９−１８６０３０号公報
【発明の概要】
【発明が解決しようとする課題】
【０００５】
フォーミングが発生すると、油タンク内の潤滑油が押し上げられ、均圧管を通じて蒸発器に潤滑油が進入し、蒸発器性能が低下するおそれがある。また、フォーミングが発生すると、油ポンプに冷媒ガスが噛みこんでしまい、圧縮機軸受けに所定の給油量を供給することができず、圧縮機損傷の可能性が高まる。
【０００６】
本発明は、このような事情に鑑みてなされたものであって、油タンク内のフォーミング発生による圧縮機への影響を低減させることのできるターボ冷凍機及びその起動制御方法を提供することを目的とする。
【課題を解決するための手段】
【０００７】
本発明の第一態様は、冷媒を圧縮する圧縮機と、前記圧縮機によって圧縮された冷媒を凝縮させる凝縮器と、前記凝縮器から導かれた液冷媒を膨張させる膨張弁と、前記膨張弁によって膨張された冷媒を蒸発させる蒸発器と、前記圧縮機に供給する潤滑油を貯留する油タンクと、前記油タンクの潤滑油を前記圧縮機に供給する油ポンプと、前記油ポンプを制御する制御部とを備え、前記制御部は、前記圧縮機を起動させる前に前記油ポンプを起動させ、前記油ポンプの起動から基準期間経過時において、前記圧縮機の入口側圧力と前記油タンクの圧力との差圧である給油差圧が圧縮機起動条件を満たしている場合に、前記圧縮機を起動させ、前記圧縮機起動条件を満たしていない場合に、前記圧縮機を起動させることなく、前記油ポンプの運転を所定期間延長させるターボ冷凍機である。
【０００８】
上記ターボ冷凍機によれば、圧縮機の起動に先駆けて油ポンプを起動させ、油ポンプの起動から基準期間経過時において、給油差圧が圧縮機起動条件を満たしている場合には、圧縮機を起動させる。一方、給油差圧が圧縮機起動条件を満たしていない場合には、圧縮機を起動させることなく、油ポンプの運転を更に継続して行わせる。このように、基準期間経過時において圧縮機起動条件を満たしていない場合には、油ポンプを止めることなく継続して運転させるので、油タンクの油を継続して圧縮機に循環させることができ、油に出現している冷媒ガスの泡を引き続き消滅させることができる。これにより、例えば、基準期間経過時に油ポンプを一旦停止させ、再度リスタートさせるリトライの場合に比べて、油タンク内の油を効率的に攪拌することができ、圧縮機を早期に起動させることが可能となる。更に、リトライの場合には、フォーミングの発生状態等に応じて、油ポンプの適切な発停間隔を演算する必要があるが、上記ターボ冷凍機によれば、発停間隔を演算する必要がない。
【０００９】
上記ターボ冷凍機において、前記油ポンプの延長運転が行われている延長運転期間中において、前記給油差圧が前記圧縮機起動条件を満たした場合には、前記圧縮機を起動させることとしてもよい。
【００１０】
上記ターボ冷凍機によれば、延長運転期間中においては、延長運転期間が終了することを待たずに、給油差圧が圧縮機起動条件を満たした時点で圧縮機を起動させることができる。
【００１１】
上記ターボ冷凍機において、前記制御部は、前記延長運転期間を経過しても前記給油差圧が前記圧縮機起動条件を満たさなかった場合には、前記圧縮機を起動させることなく、異常を報知することとしてもよい。
【００１２】
上記ターボ冷凍機において、前記制御部は、ターボ冷凍機内の圧力及び凝縮器の筐体温度の少なくとも一つに基づいて、前記延長運転期間を設定または調整することとしてもよい。
【００１３】
上記ターボ冷凍機によれば、ターボ冷凍機内の圧力及び凝縮器の筐体温度の少なくとも一つに基づいて、延長運転期間を設定または調整するので、フォーミングの発生状況に応じた適切な延長運転期間を用いることができる。
【００１４】
上記ターボ冷凍機において、前記制御部は、ターボ冷凍機内の圧力及び前記凝縮器の筐体温度の少なくとも一つに基づいて、前記基準期間を設定または調整することとしてもよい。
【００１５】
上記ターボ冷凍機によれば、ターボ冷凍機内の圧力及び凝縮器の筐体温度の少なくとも一つに基づいて、基準期間を設定または調整するので、フォーミングの発生状況に応じた適切な基準期間を用いることができる。
【００１６】
本発明の第二態様は、冷媒を圧縮する圧縮機と、前記圧縮機によって圧縮された冷媒を凝縮させる凝縮器と、前記凝縮器から導かれた液冷媒を膨張させる膨張弁と、前記膨張弁によって膨張された冷媒を蒸発させる蒸発器と、前記圧縮機に供給する潤滑油を貯留する油タンクと、前記油タンクの潤滑油を前記圧縮機に供給する油ポンプとを備えるターボ冷凍機の起動方法であって、前記圧縮機を起動させる前に前記油ポンプを起動させ、前記油ポンプの起動から基準期間経過時において、前記圧縮機の入口側圧力と前記油タンクの圧力との差圧である給油差圧が圧縮機起動条件を満たしている場合に、前記圧縮機を起動させ、前記圧縮機起動条件を満たしていない場合に、前記圧縮機を起動させることなく、前記油ポンプの運転を所定期間延長させるターボ冷凍機の起動制御方法である。
【発明の効果】
【００１７】
本発明によれば、油タンク内のフォーミング発生による圧縮機への影響を低減させることができるという効果を奏する。
【図面の簡単な説明】
【００１８】
【図１】本発明の一実施形態に係るターボ冷凍機を示した概略構成図である。
【図２】本発明の一実施形態に係る油タンクの構成を模式的に示した図である。
【図３】本発明の一実施形態に係るターボ冷凍機の起動制御のフローチャートを示した図である。
【図４】油ポンプの起動後における給油差圧の挙動に対する圧縮機の起動タイミングを例示した図である。
【発明を実施するための形態】
【００１９】
以下に、本発明の一実施形態に係るターボ冷凍機及びその起動制御方法について、図面を参照して説明する。図１は、本発明の一実施形態に係るターボ冷凍機を示した概略構成図である。
図１に示されるように、ターボ冷凍機１は、冷媒を圧縮する圧縮機３と、圧縮機３によって圧縮された高温高圧のガス冷媒を凝縮する凝縮器５と、凝縮器５から導かれた液冷媒を膨張させる膨張弁７と、膨張弁７によって膨張された液冷媒を蒸発させる蒸発器９と、ターボ冷凍機１を制御する制御部１０とを備えている。
【００２０】
冷媒として、ＨＦＯ−１２３３ｚｄ（Ｅ）といった低圧冷媒が用いられている。
圧縮機３は、例えば、ターボ圧縮機であり、一例として遠心式圧縮機が用いられる。圧縮機３は、インバータによって回転数制御された電動機１１によって駆動される。インバータは、制御部１０によってその出力が制御される。圧縮機３の冷媒吸入口には、吸入冷媒流量を制御するインレットガイドベーン（以下「ＩＧＶ」という。）１３が設けられており、ターボ冷凍機１の容量制御が可能となっている。ＩＧＶ１３の開度制御は、制御部１０によって行われる。
【００２１】
圧縮機３は、回転軸３ｂ周りに回転する羽根車３ａを備えている。回転軸３ｂには、増速歯車１５を介して電動機１１から回転動力が伝達される。回転軸３ｂは、軸受３ｃによって支持されている。
【００２２】
凝縮器５は、シェルアンドチューブ型やプレート型等の熱交換器である。凝縮器５には、冷媒を冷却するための冷却水が供給されるようになっている。凝縮器５に導かれる冷却水は、図示しない冷却塔や空気熱交換器において外部へと排熱された後に、再び凝縮器５へと導かれるようになっている。
【００２３】
膨張弁７は、電動式とされており、制御部１０によって開度が設定されるようになっている。
【００２４】
蒸発器９は、シェルアンドチューブ型やプレート型等の熱交換器とされている。蒸発器９には、図示しない外部負荷へ供給される冷水が導かれるようになっている。冷水は、蒸発器９にて冷媒と熱交換することによって、定格温度（例えば７℃）まで冷却され、外部負荷へと送られる。
【００２５】
圧縮機３の軸受３ｃや増速歯車１５には、油タンク１７から潤滑油が供給されるようになっている。潤滑油としては、例えば、粘度グレード１００とされた鉱物油が用いられる。
油タンク１７内には、油ポンプ２０（図２参照）が設けられており、これにより、所定の流量にて油供給配管１９を介して潤滑油が供給される。圧縮機３内で潤滑を終えた潤滑油は、油返送配管２１を介して油タンク１７内へと戻される。
【００２６】
油タンク１７と蒸発器９との間には、これらの間を連通する均圧管２３が設けられており、油タンク１７内の圧力と蒸発器９内の圧力が均圧されるようになっている。このように油タンク１７内を低圧にすることで、潤滑油に対する冷媒溶け込み量を低く保つようになっている。
【００２７】
油タンク１７には、圧力センサ２５と温度センサ２７とが設けられている。圧力センサ２５によって計測された油タンク１７内の圧力及び温度センサ２７によって計測された油タンク１７内の温度（具体的には潤滑油温度）は、制御部１０へ送信される。
【００２８】
制御部１０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等を備えて構成されている。制御部１０が各種機能を実現するための一連の処理は、一例として、プログラム（例えば、起動制御プログラム）の形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００２９】
図２は、油タンク１７の構成を模式的に示した図である。図２に示すように、油タンク１７内には、油タンク１７内に貯留されている潤滑油を加熱するためのオイルヒータ３１が設けられている。オイルヒータ３１は、温度センサ２７によって計測される温度に基づいて、油タンク内の潤滑油が略一定の温度になるように制御部１０によってオンオフが制御される。
【００３０】
油タンク１７の上面には凝縮器５が配置されており、凝縮器５の筐体側に油タンク１７の熱が放熱される。
オイルヒータ３１は、例えば、油タンク１７の底面から上方に所定距離離れた位置に設けられている。このような位置にオイルヒータ３１が設けられていることにより、オイルヒータ３１の設置位置よりも下方の領域には比較的温度の低い潤滑油が滞留し、オイルヒータ３１の設置位置よりも上方の領域には比較的温度の高い潤滑油が滞留することとなる。このような潤滑油の温度分布は、オイルヒータ３１の発停ごとに出現することとなる。
【００３１】
油ポンプ２０の起動時には、低圧側の圧力低下速度や、上述した油タンク１７内における潤滑油の温度分布等の種々の要因により、フォーミングが発生しやすい。例えば、上述のように、潤滑油の温度分布が大きい場合には、油ポンプ２０の吸込口付近において、比較的温度の高い潤滑油と比較的温度の低い潤滑油とが接触することから、冷媒ガスが出現する。
【００３２】
本実施形態に係るターボ冷凍機１の起動制御は、圧縮機３の起動に先駆けて油ポンプ２０を起動させ、潤滑油を攪拌させることで、潤滑油に出現した冷媒ガスの泡を消泡し、圧縮機起動後におけるフォーミングによる圧縮機３への影響を低減することを目的としている。
【００３３】
以下、本実施形態に係るターボ冷凍機１の起動制御について図３を参照して説明する。図３は、本実施形態に係るターボ冷凍機の起動制御のフローチャートを示した図である。
まず、ターボ冷凍機１の起動時には、圧縮機３の起動に先駆けて、油ポンプ２０を単体で起動させ（ステップＳＡ１）、この状態で予め設定されている基準期間Ｔａｓが経過するまで待機状態となる（ステップＳＡ２）。油ポンプ２０が起動することで、油タンク１７内の潤滑油は油ポンプ２０によって吸い込まれ、油供給配管１９を介して停止中の圧縮機３へ供給される。更に、潤滑油は停止中の圧縮機３から油返送配管２１を介して油タンク１７へ再び戻されることとなる。潤滑油が循環することにより、潤滑油に出現した冷媒ガスの泡を消すことができる。
【００３４】
基準期間Ｔａｓは、例えば、油タンク１７に貯留された全ての潤滑油が油ポンプ２０によって吸い込まれ、圧縮機３を経由して油タンク１７に再び戻るまでに要する時間よりも長めに設定されていることが好ましい。これにより、油タンク１７内に貯留されている潤滑油を攪拌させ、温度分布を均一化することが可能となる。この結果、その後におけるフォーミングの発生を抑制することができる。
【００３５】
次に、油ポンプ２０の起動から基準期間Ｔａｓが経過すると、給油差圧Ｐが予め設定されている圧縮機起動条件を満たしているか否かを判定する（ステップＳＡ３）。ここで、給油差圧Ｐは、圧縮機３の入口側圧力と油タンク１７の圧力（換言すると、蒸発器圧力）との差圧である。例えば、潤滑油に冷媒ガスが出現している状態では、油ポンプ２０がガス噛み状態となってしまい、給油差圧Ｐが規定圧力Ｐｏに達しない。給油差圧Ｐが規定圧力Ｐｏに達しているか否かを判定することにより、潤滑油に冷媒ガスの泡が出現していないか否かを判定することができる。
【００３６】
上記圧縮機起動条件の一例として、給油差圧Ｐが予め設定されている規定圧力Ｐｏ以上の状態が所定期間Ｔｏ以上継続しているかなどが挙げられる。なお、所定期間Ｔｏは、基準期間Ｔａｓよりも短い期間に設定されている。
【００３７】
ステップＳＡ３における判定結果が肯定判定の場合には、圧縮機３を起動させる（ステップＳＡ４）。一方、ステップＳＡ３における判定結果が否定判定の場合には、潤滑油にフォーミングが発生している可能性があるため、油ポンプ２０の運転が所定期間延長される。続いて、延長運転期間Ｔｂｓが経過したか否かを判定する（ステップＳＡ５）。ここで、延長運転期間Ｔｂｓは、例えば、潤滑油が蒸発器に侵入するおそれがないような期間に設定されている。油ポンプ２０を単体で長く運転していると、蒸発器９に潤滑油が侵入してしまうおそれがあり、この場合には、伝熱面に潤滑油が付着して熱交換性能が低下してしまうからである。本実施形態において、延長運転期間Ｔｂｓは、基準期間Ｔａｓと同じ時間に設定されているが、油ポンプ２０の長期単体運転によって他の構成へ影響が及ばない範囲で適宜設定することが可能である。
【００３８】
続いて、ステップＳＡ５の判定結果が否定判定の場合には、ステップＳＡ３に戻り、給油差圧Ｐが圧縮機起動条件を満たしているか否かを再び判定する。そして、延長運転期間Ｔｂｓが経過するまでに、給油差圧Ｐが圧縮機起動条件を満たした場合には、ステップＳＡ３からステップＳＡ４に移行し、圧縮機３を起動させる。すなわち、延長運転期間Ｔｂｓ中においては、上述の基準期間Ｔａｓと異なり、延長運転期間が終了することを待たずに、給油差圧Ｐが圧縮機起動条件を満たした時点で圧縮機３が起動されることとなる。
一方、延長運転期間Ｔｂｓが経過するまでに給油差圧Ｐが圧縮機起動条件を満たさなかった場合には、油ポンプ２０を停止させ（ステップＳＡ６）、圧縮機３を起動せずに故障報知を行う（ステップＳＡ７）。
【００３９】
図４は、油ポンプ２０の起動後における給油差圧Ｐの挙動に対する圧縮機３の起動タイミングを例示した図である。
例えば、図４に示した挙動Ａの場合、油ポンプ２０の起動（時刻Ｔ０）から基準期間Ｔａｓが経過する前に、すでに給油差圧Ｐが規定圧力Ｐｏ以上である状態が維持されている。このため、基準期間Ｔａｓが経過したときに（時刻Ｔ１）、速やかに圧縮機３が起動される。
【００４０】
図４の挙動Ｂについては、油ポンプ２０の起動から基準期間Ｔａｓが経過しても給油差圧Ｐは所定値に達していないため、油ポンプ２０の運転は継続される。そして、時刻Ｔ２において給油差圧Ｐが圧縮機起動条件を満たすと、その後速やかに圧縮機３が起動される。
【００４１】
図４の挙動Ｃについては、延長運転期間Ｔｂｓが経過しても給油差圧Ｐは所定値に達しておらず、圧縮機起動条件を満たしていない。このため、延長運転期間Ｔｂｓ経過後において（時刻Ｔ３）、油ポンプ２０は速やかに停止され、圧縮機３は起動されることなく、故障報知がなされる。
【００４２】
以上説明してきたように、本実施形態に係るターボ冷凍機１及びその起動制御方法によれば、圧縮機３の起動に先駆けて油ポンプ２０を起動させ、油ポンプ２０の起動から基準期間Ｔａｓ経過時において、給油差圧Ｐが圧縮機起動条件を満たしている場合には、圧縮機３を起動させる。一方、給油差圧Ｐが圧縮機起動条件を満たしていない場合には、圧縮機３を起動させることなく、油ポンプ２０の運転を延長する。このように、基準期間Ｔａｓ経過時において圧縮機起動条件を満たしていない場合には、油ポンプ２０を止めることなく継続して運転させるので、油タンク１７の潤滑油を継続して圧縮機３に循環させることができ、潤滑油に出現している冷媒ガスの泡を引き続き消滅させることができる。これにより、例えば、基準期間Ｔａｓ経過時に油ポンプ２０を一旦停止させ、再度リスタートさせるリトライの場合に比べて、油タンク１７内の潤滑油を効率的に攪拌することができ、圧縮機３を早期に起動させることが可能となる。更に、リトライの場合には、フォーミングの発生状態等に応じて、油ポンプ２０の適切な発停間隔を演算する必要があるが、本実施形態に係るターボ冷凍機及びその起動方法によれば、発停間隔を演算する必要がない。
【００４３】
更に、延長運転期間Ｔｂｓにおいては、給油差圧Ｐが圧縮機起動条件を満たしたときに速やかに圧縮機３を起動させるので、延長運転期間Ｔｂｓが終了するまで圧縮機３の起動を待機する場合に比べて、圧縮機３を早期に起動させることが可能となる。
【００４４】
なお、本実施形態では、基準期間Ｔａｓ及び延長運転期間Ｔｂｓを予め設定された固定期間として説明したが、基準期間Ｔａｓ及び延長運転期間Ｔｂｓの少なくともいずれか一方は、凝縮器５の筐体温度及び冷凍機内圧力の少なくともいずれか一方に基づいて、その長さが調整されてもよい。また、凝縮器５の筐体温度及び冷凍機内圧力の少なくともいずれか一方に基づいて都度設定してもよい。
【００４５】
例えば、凝縮器５の筐体温度が低いほど、換言すると、周囲温度が低いほど、油タンク１７から凝縮器５への放熱が大きく油タンク１７の底面の油温度が低くなり、冷媒ガスの出現質量が大きくなる。このため、凝縮器５の筐体温度が低いほど、基準期間Ｔａｓや延長運転期間Ｔｂｓを長期化させるとよい。
また、冷凍機内の圧力が低いほど、冷媒ガスの比体積が大きくなる。したがって、冷凍機内圧力が低いほど、基準期間Ｔａｓや延長運転期間Ｔｂｓを長期化させるとよい。
【００４６】
また、本実施形態では、低圧冷媒の一例としてＨＦＯ−１２３３ｚｄ（Ｅ）を挙げて説明したが、他の低圧冷媒にも本発明を適用することができ、また、油タンク内のフォーミングのおそれがある場合には高圧冷媒に対しても本発明を適用することができる。
【符号の説明】
【００４７】
１  ターボ冷凍機
３  圧縮機
５  凝縮器
９  蒸発器
１０  制御部
１７  油タンク
１９  油供給配管
２０  油ポンプ
２１  油返送配管
３１  オイルヒータ
【図１】
2019074225.tif 000003
【図２】
2019074225.tif 000004
【図３】
2019074225.tif 000005
【図４】
2019074225.tif 000006